(57)【要約】      （修正有）【課題】箸の洗浄及び使用が容易であり、構造が簡単な機能性箸を提供する。【解決手段】本考案に係る機能性箸は、親指により支持される第１の棒１０と、人差し指及び中指により支持される第２の棒２０と、第１の棒１０及び第２の棒２０の上端を連結する結合部材３０と、衝撃感知センサー４８、及び前記衝撃感知センサーにより発光する発光部材４２と、を備え、結合部材３０に脱着自在に設けられる飾り部材４０を含み、飾り部材４０が外部からの衝撃により発光することで、箸の使用に対する拒否感を著しく減らし、学習効果を高め、飾り部材４０を結合部材３０から着脱及び開閉可能に設けることで、洗浄及びバッテリー交換を容易にすることができる。【選択図】図２
0003191268.tif 000002
【実用新案登録請求の範囲】
【請求項１】
親指により支持される第１の棒と、
人差し指及び中指により支持される第２の棒と、
前記第１の棒及び第２の棒の上端を連結する結合部材と、
前記結合部材に脱着自在に設けられ、衝撃感知センサー、及び前記衝撃感知センサーにより発光する発光部材を備える飾り部材と、を含み、
前記飾り部材は、バッテリー交換が容易であるよう、ヒンジにより開閉可能に結合される上部ケーシングと下部ケーシングからなり、前記下部ケーシングは、前記結合部材にねじ結合またはワンタッチ結合されることを特徴とする機能性箸。
【請求項２】
前記結合部材は、親指により支持される第１の棒と一体に設けられ、
前記第２の棒は、前記結合部材に回動可能に結合されることを特徴とする、請求項２に記載の機能性箸。
【請求項３】
前記第１の棒と第２の棒は、前記結合部材の中心から所定距離離れ、対称して設けられることを特徴とする請求項３に記載の機能性箸。
【請求項４】
前記結合部材は、前記第２の棒の上端を収容するための溝部を備え、
前記溝部は、左右側壁を通じて前記第２の棒のずれを防止し、上下側壁を通じて回動範囲を制限することを特徴とする請求項３に記載の機能性箸。
【請求項５】
前記第２の棒は、上端にピン孔を備え、前記結合部材に収容された後、前記溝部の左右側壁とピン孔を貫通する楔ピンにより、前記結合部材に回動可能に結合することを特徴とする請求項５に記載の機能性箸。
【考案の詳細な説明】
【技術分野】
【０００１】
本考案は、箸に関し、更に詳しくは、箸の使用を容易にすることができる機能性箸に関する。
【背景技術】
【０００２】
一般的に、人は食べ物を摂取する際に、フォーク、ナイフ、スプーン、箸などの道具を使う。
【０００３】
洋風の食事の場合は、食べ物を簡単にフォークで刺したり、スプーンで掬って口に運ぶ方式が多く使われており、アジア風の食事の場合は、一手に握られるような細くて長い一対の棒からなる箸を使って食べ物を口に運ぶ方式が多く使われている。
【０００４】
通常、箸は親指（または親指と薬指）で棒の中の１つを支持し、人差し指と中指で他の棒を支持し、棒の末端が互いに接触するように指を動くことで、食べ物を摘むことができるようになっている。しかし、このような箸は他の食べ物の摘みの道具に比べて、その使用方法が習い難いという問題があった。
【０００５】
ここで、近来は箸の使い方が簡単に習えるような多様な機能性箸が販売されているところ、生産者にとっては、外見が美しく組み立てが簡便な箸を製造するための努力が必要な実情である。
【０００６】
また、従来の機能性箸の中には、韓国特許登録第１０-０４６１６１４号に記載のように、発光体を備えて箸の使用時に発光させるようにしたものがある。ところが、このような箸は、発光体が棒に一体に付いているため、防水機能が良くないと共に、洗浄が容易ではなく、また圧力センサーを採用して食べ物を的確に摘む時にだけ発光するため、使用者から興味を引き起こすことが難いという短所があった。また、センサーが口に触れる場合、健康及び衛生的に良くない可能性もあった。
【考案の概要】
【考案が解決しようとする課題】
【０００７】
本考案は、前述の問題点を解決するためのものであって、本考案の目的は、箸の使用及び洗浄を容易にすると共に、製造が簡便な機能性箸を提供することにある。
【０００８】
【０００９】
【課題を解決するための手段】
【００１０】
上記目的を達成するための本考案に係る機能性箸は、親指により支持される第１の棒と、人差し指及び中指により支持される第２の棒と、第１の棒及び第２の棒の上端を連結する結合部材と、結合部材に脱着自在に設けられ、衝撃感知センサー、及び衝撃感知センサーにより発光する発光部材を備える飾り部材と、を含み、飾り部材はバッテリー交換が容易であるよう、ヒンジにより開閉可能に結合される上部ケーシングと下部ケーシングからなり、下部ケーシングは結合部材にねじ結合またはワンタッチ結合される。
【００１１】
また、本考案に係る機能性箸において、前記結合部材は、第１の棒と一体に設けられ、第２の棒は、前記結合部材に回動可能に結合される。
【００１２】
さらに、本考案に係る機能性箸において、前記第１の棒と第２の棒は、前記結合部材から所定距離離れ、中心に対して対称して設けられる。
【００１３】
また、本考案に係る機能性箸において、前記結合部材は、前記第２の棒の上端を収容するための溝部を備え、前記溝部は、左右側壁を通じて前記第２の棒のずれを防止し、上下側壁を通じて回動範囲を制限する。
【００１４】
さらに、本考案に係る機能性箸において、前記第２の棒は、上端にピン孔を備え、前記結合部材に収容された後、前記溝部の左右側壁とピン孔を貫通する楔ピンにより前記結合部材と結合する。
【考案の効果】
【００１５】
本考案に係る機能性箸は、箸使いが下手な乳児及び児童などを含み、誰でも容易に使うことができる。
【００１６】
また、本考案に係る機能性箸は、乳児及び児童から好奇心及び関心を引き起こすよう、キャラクターのような飾り部材を設け、飾り部材が振動や外部からの衝撃により発光するようにすることで、興味を引き起こすと共に、箸の使用に対する拒否感を著しく減らして学習効果を高め、飾り部材は洗浄及びバッテリー交換が容易であるよう、結合部材から着脱及び開閉可能に設けた。
【００１７】
また、本考案に係る機能性箸は、第１の棒及び第２の棒と、第１の棒及び第２の棒を連結する結合部材と、の組み立てが容易であるように簡素化することで、組み立ての工程数を減らし、作業効率を高めるようにした。その一例として、親指により支持される第１の棒と結合部材とを、射出などの方法により一体化し、結合部材に設けられる溝部に第２の棒を回動可能に結合させることで、外見が美しく、さらに組み立てが簡便になるようにした。
【図面の簡単な説明】
【００１８】
【図１】本考案の一実試の形態に係る機能性箸を示す斜視図である。
【図２】本考案の一実試の形態に係る機能性箸の分解斜視図である。
【図３】本考案の一実試の形態に係る機能性箸の結合部材の横端面図及び側端面図である。
【図４】本考案の一実試の形態に係る機能性箸の結合部材の横端面図及び側端面図である。
【図５】本考案の一実試の形態に係る機能性箸の側端面図である。
【図６】本考案の他の実試の形態に係る機能性箸を示す分解斜視図である。
【考案を実施するための形態】
【００１９】
以下、本考案の望ましい実試の形態を、添付した図面を参考して詳しく説明する。
図１は、本考案の一実試の形態に係る機能性箸を示す斜視図であり、図２は、図１の分解斜視図である。
【００２０】
図面を参照すると、本実試の形態に係る機能性箸は、親指により支持される第１の棒１０と、人差し指及び中指により支持される第２の棒２０と、第１の棒及び第２の棒１０、２０の上端を連結する結合部材３０と、を備える。
【００２１】
第１の棒１０及び第２の棒２０は、使用者の把持が容易であるよう、それぞれ親指をかけることができる親指用リング１２と、人差し指と中指をかけることができる人差し指用リング２２と中指用リング２４を備える。各リング１２、２２、２４は、多様な材質、形状、及び構造で形成することができ、さらに棒１０、２０に一体に形成したり、別途の部材で設けて第１の棒及び第２の棒１０、２０に組み立てることも可能である。
【００２２】
結合部材３０は、第１の棒及び第２の棒１０、２０の上端を所定距離離れて結合する。本実試の形態においては、結合部材３０がある程度のサイズを持たせることで、第１の棒及び第２の棒１０、２０の間隔が離れるようにすると共に、第１の棒及び第２の棒１０、２０を結合部材３０の中心に対して対称して配置することで外見を美しくする。
【００２３】
また、結合部材３０は、第１の棒及び第２の棒１０、２０の中の何れか１つに一体に設けられることができる。望ましくは、食べ物の把持時に、支持する指（親指）が動かない第１の棒１０と一体に設ける。
【００２４】
人差し指及び中指により支持される第２の棒２０は、結合部材３０に回動可能に設けられる。特に、本実試の形態においては、第２の棒２０を結合部材３０に収容されるように設けることで、外見及び組立性を向上させる。
【００２５】
具体的に、図３に示すように、結合部材３０は、第２の棒２０を結合させるための溝部３２を備える。溝部３２は、上下側壁３２ａ、３２ｂを用いて第１の棒１０が回動する範囲を制限する。上側壁３２ａは、第１の棒１０が第２の棒２０に対して、ある程度の以上に離れることを防止し、下側壁３２ｂは、第１の棒１０が第２の棒２０と接触するように設けられる。また、溝部３２は、図４に示すように、左右側壁３２ｃ、３２ｄを備え、第１の棒１０が食べ物を摘むための回動方向ではなく、他の方向にずれることを防止する。
【００２６】
溝部３２に結合される第２の棒２０の上端は、溝部３２に収容され得るヘッド部２６を備える。溝部３２の上側壁３２ａに接触するヘッド部２６の一面は、第２の棒２０の外面から傾くように湾曲または切曲されており、第２の棒２０がある程度の以上に回動することを効果的に防止する。
【００２７】
また、ヘッド部２６は、ピン孔２８を備え、溝部３２の左右側壁３２ｃ、３２ｄを貫通する楔ピン３４により結合部材３０に組み立てられる。このような組み立ての方式は、結合部材３０と第２の棒２０との組み立てを容易にすると共に、第１の棒１０と結合部材３０とを一体に設ける場合、全体の箸の組み立ての工程数を著しく減らすことができ、作業効率を従来より大きく高めることができる。ピン孔２８の組み立ては、図４に示すように、後述する飾り部材４０と結合部材３０の反対の方向から成されるようにしたり、力を受けるように貫通させることもできる。
【００２８】
一方、結合部材３０には、外見が美しくなるように飾り部材４０を設けることができる。飾り部材４０としては、消費者が好む多様なキャラクターが採用されることができ、結合部材３０と射出のような方式により一体に成形または印刷されたり、別途に設けられた後、結合部材３０に着脱可能に設けられることができる。
【００２９】
その一例として、図２及び図５に示すように、飾り部材４０は、ＬＥＤのような発光部材４２と、メロディチップとスピーカーを含む音響部材４４と、がモジュール化されている基板４６を内部に含むことができる。また、基板４６は、電源供給部材として、バッテリー４７を含んでおり、発光部材４２と音響部材４４を駆動させるためのものであって、衝撃感知センサー４８を含む。衝撃感知センサー４８は、所謂加速度センサーであって、電荷を検出して加速度を求める圧電型、起電力を検出して加速度を求める動電型、抵抗線変形ゲージにより加速度を求める抵抗線変形ゲージ型、または力と抵抗の変化から加速度を求める半導体変形ゲージ型などがあり、検出方式によって慣性式、ザイロ式、シリコーン半導体式にも分類される。本実試の形態の機能性箸は、衝撃感知センサー４８を用いて発光部材４２と音響部材４４を駆動させることで、箸の多様な動き、例えば、食べ物を摘むとか、手で持って遊ぶ動作により発光及び効果音を発生させることができるため、使用者からの興味を引き起こすような効果を高めることができる。
【００３０】
また、飾り部材４０は、上部ケーシング４１と下部ケーシング４３に分離して設け、その中に基板４６を埋め立てて、下部ケーシング４３は、結合部材３０にねじ結合される。
【００３１】
このように、本実試の形態の機能性箸は、飾り部材４０が結合部材３０に対して着脱可能に設けられるため、基板４６のバッテリー４７交換が容易であると共に、箸の洗浄時に電子部品である飾り部材４０を分離することができるため、洗浄が容易である。
【００３２】
図６は、本考案の他の実試の形態に係る飾り部材を示す図であり、本実試の形態においては、飾り部材５０を結合部材３０と突起５２及び溝５４による抑止差し込み（所謂ワンタッチ）方式で結合させた。このような方式は、前述のように、箸の洗浄を容易にする。また、上部ケーシング５１と下部ケーシング５３は、一側がヒンジにより結合し、フック５５を通じて開閉可能に設けることで、バッテリー４７交換をさらに容易にすることができる。
【符号の説明】
【００３３】
１０  第１の棒 
１２  親指用リング
２０  第２の棒 
２２、２４  人差し指用及び中指用リング
２６  ヘッド部 
２８  ピン孔 
３０  結合部材 
３２  溝部
３４  楔ピン
４０、５０  飾り部材
４２  発光部材
４４  音響部材
４７  バッテリー
４８  衝撃感知センサー
【図１】
0003191268.tif 000003
【図２】
0003191268.tif 000004
【図３】
0003191268.tif 000005
【図４】
0003191268.tif 000006
【図５】
0003191268.tif 000007
【図６】
0003191268.tif 000008
【手続補正書】
【提出日】平成26年4月11日(2014.4.11)
【手続補正２】
【補正対象書類名】実用新案登録請求の範囲
【補正対象項目名】全文
【補正方法】変更
【補正の内容】
【実用新案登録請求の範囲】
【請求項１】
親指により支持される第１の棒と、
人差し指及び中指により支持される第２の棒と、
前記第１の棒及び第２の棒の上端を連結する結合部材と、
前記結合部材に脱着自在に設けられ、衝撃感知センサー、及び前記衝撃感知センサーにより発光する発光部材を備える飾り部材と、を含み、
前記飾り部材は、バッテリー交換が容易であるよう、ヒンジにより開閉可能に結合される上部ケーシングと下部ケーシングからなり、前記下部ケーシングは、前記結合部材にねじ結合またはワンタッチ結合されることを特徴とする機能性箸。
【請求項２】
前記結合部材は、親指により支持される第１の棒と一体に設けられ、
前記第２の棒は、前記結合部材に回動可能に結合されることを特徴とする、請求項１に記載の機能性箸。
【請求項３】
前記第１の棒と第２の棒は、前記結合部材の中心から所定距離離れ、対称して設けられることを特徴とする請求項２に記載の機能性箸。
【請求項４】
前記結合部材は、前記第２の棒の上端を収容するための溝部を備え、
前記溝部は、左右側壁を通じて前記第２の棒のずれを防止し、上下側壁を通じて回動範囲を制限することを特徴とする請求項３に記載の機能性箸。
【請求項５】
前記第２の棒は、上端にピン孔を備え、前記結合部材に収容された後、前記溝部の左右側壁とピン孔を貫通する楔ピンにより、前記結合部材に回動可能に結合することを特徴とする請求項４に記載の機能性箸。
【手続補正３】
【補正対象書類名】図面
【補正対象項目名】図１
【補正方法】変更
【補正の内容】
【図１】
0003191268.tif 000009
【手続補正４】
【補正対象書類名】図面
【補正対象項目名】図２
【補正方法】変更
【補正の内容】
【図２】
0003191268.tif 000010
【手続補正５】
【補正対象書類名】図面
【補正対象項目名】図６
【補正方法】変更
【補正の内容】
【図６】
0003191268.tif 000011